(57)【要約】【課題】運転コストを低減できると共に、冷却ファンで冷却される制御部の電装部品の故障を抑制できる加熱調理器を提供すること。【解決手段】制御部２００に、冷却ファン用モータ５４の通電をオンからオフに切り替えて、冷却ファンを慣性で回転させ続ける慣性駆動と、慣性で回転している冷却ファンが止まる直前になると冷却ファン用モータ５４の通電をオンにして、冷却ファン用モータ５４を一定条件が成立するまで駆動させるアクティブ駆動とを交互に繰り返す冷却ファン慣性駆動制御部２１０を設ける。【選択図】図５
2012112574.tif 000002
【特許請求の範囲】
【請求項１】
本体ケーシングと、
上記本体ケーシングに設けられた加熱室と、
上記加熱室内の被加熱部を加熱するための加熱部と、
上記加熱部を制御すると共に、電装部品を有する制御部と、
上記電装部品を冷却するための冷却ファンと、
上記冷却ファンを駆動するモータと、
を備え、
上記制御部は、
上記モータの通電をオンからオフに切り替えて、上記冷却ファンを慣性で回転させ続ける慣性駆動と、慣性で回転している上記冷却ファンが止まる直前になると上記モータの通電をオンにして、上記モータを一定条件が成立するまで駆動させるアクティブ駆動とを交互に繰り返す冷却ファン慣性駆動制御部を有することを特徴とする加熱調理器。
【請求項２】
請求項１に記載の加熱調理器において、
上記冷却ファン慣性駆動制御部は、上記冷却ファンが止まる直前になったか否かを、上記慣性駆動が予め定められた時間続けられたか否か、または、上記冷却ファンの速度が予め定められた速度以下になったか否かで判断することを特徴とする加熱調理器。
【請求項３】
請求項１または２に記載の加熱調理器において、
上記一定条件とは、上記アクティブ駆動が予め定められた時間続けられたか否か、または、上記冷却ファンの速度が予め定められた速度以上になったか否かであることを特徴とする加熱調理器。
【発明の詳細な説明】
【技術分野】
【０００１】
本発明は、加熱調理器に関する。
【背景技術】
【０００２】
従来、加熱調理器としては、特開２０１０−２３６７４９号公報（特許文献１）に記載されているものがある。
【０００３】
この加熱調理器は、誘導加熱コイルと、加熱調理器の各部の駆動を制御すると共に、電装部品を有する制御部と、上記電装部品を冷却する冷却ファンと、冷却ファンを駆動するモータとを備え、上記冷却ファンは、誘電加熱コイルの駆動時に上記モータによって常時アクティブに駆動されるようになっている。
【０００４】
上記従来の加熱調理器は、上記冷却ファンが、誘電加熱コイルの駆動時に上記ファン用のモータで常時アクティブに駆動されるようになっているから、部品を安定的に冷却できる一方、部品を冷却するのに継続して電力を消費し、運転コストが高くなるという問題がある。
【０００５】
一方、上記運転コストの問題を回避するために、加熱調理器の庫内温度が、所定の温度以上の場合のみに制御部の電装部品を冷却する冷却ファンをモータでアクティブに駆動するようにすると、上記電装部品が、品質保証温度を超える温度まで上昇して、上記電装部品が故障を起こす場合がある。
【先行技術文献】
【特許文献】
【０００６】
【特許文献１】特開２０１０−２３６７４９号公報
【発明の概要】
【発明が解決しようとする課題】
【０００７】
そこで、本発明の課題は、運転コストを低減できると共に、冷却ファンで冷却される制御部の電装部品の故障を抑制できる加熱調理器を提供することにある。
【課題を解決するための手段】
【０００８】
上記課題を解決するため、この発明の加熱調理器は、
本体ケーシングと、
上記本体ケーシングに設けられた加熱室と、
上記加熱室内の被加熱部を加熱するための加熱部と、
上記加熱部を制御すると共に、電装部品を有する制御部と、
上記電装部品を冷却するための冷却ファンと、
上記冷却ファンを駆動するモータと、
を備え、
上記制御部は、
上記モータの通電をオンからオフに切り替えて、上記冷却ファンを慣性で回転させ続ける慣性駆動と、慣性で回転している上記冷却ファンが止まる直前になると上記モータの通電をオンにして、上記モータを一定条件が成立するまで駆動させるアクティブ駆動とを交互に繰り返す冷却ファン慣性駆動制御部を有することを特徴としている。
【０００９】
本発明によれば、上記慣性駆動の最中に、冷却ファンを駆動するモータに電力が供給されることがない。したがって、上記慣性駆動の最中に上記モータで消費される電力を削減できて、運転コストを低減できる。
【００１０】
また、本発明によれば、上記慣性駆動が行われている最中においても、上記冷却ファンが慣性で回転する。また、上記アクティブ駆動によって、慣性で回転しているファンが止まる直前にモータへ電力が供給される。したがって、冷却ファンが始動してから、加熱調理器の調理が終了して、冷却ファンで冷却される制御部の電装部品を含む各部品（例えば、マイクロコンピュータや、ヒューズ等の電子部品等）の温度が、品質保証温度を下回る温度になるまで、上記冷却ファンで、上記部品を常時冷却することができる。したがって、上記部品を冷却するための冷却ファンが停止している期間がある加熱調理器と比較して、冷却されるべき部品が、品質保証温度を超える温度まで上昇することを抑制できて、上記部品が故障するのを抑制できる。
【００１１】
また、一実施形態では、
上記冷却ファン慣性駆動制御部は、上記冷却ファンが止まる直前になったか否かを、上記慣性駆動が予め定められた時間続けられたか否か、または、上記冷却ファンの速度が予め定められた速度以下になったか否かで判断する。
【００１２】
上記実施形態によれば、冷却ファンが止まる直前を正確に判断できる。また、特に、上記冷却ファンが止まる直前になったか否かを、上記慣性駆動が予め定められた時間続けられた否かで判断する場合には、時間の測定を行うだけで、アクティブ駆動の始動時を判断できて、制御部での制御を単純なものにすることができて、制御部の構成を簡素にできて、加熱調理器の製造コストを低減できる。
【００１３】
また、一実施形態では、
上記一定条件とは、上記アクティブ駆動が予め定められた時間続けられたか否か、または、上記冷却ファンの速度が予め定められた速度以上になったか否かである。
【００１４】
上記実施形態によれば、慣性駆動の始動時を正確に判断できる。特に、一定条件が、上記アクティブ駆動が予め定められた時間続けられたか否かである場合には、時間の測定を行うだけで、慣性駆動の始動時を判断できて、制御部での制御を単純なものにすることができて、制御部の構成を簡素にできて、加熱調理器の製造コストを低減できる。
【発明の効果】
【００１５】
本発明の加熱調理器によれば、慣性駆動の最中に、冷却ファンを駆動するモータに電力が供給されることがない。したがって、上記慣性駆動の最中に上記モータで消費される電力を削減できて、運転コストを低減できる。
【００１６】
また、本発明の加熱調理器によれば、上記慣性駆動が行われている最中においても、上記冷却ファンが慣性で回転し、また、アクティブ駆動によって、慣性で回転しているファンが止まる直前にモータへ電力が供給される。したがって、冷却ファンが始動してから、加熱調理器の調理が終了して、冷却ファンで冷却される制御部の電装部品を含む各部品の温度が、品質保証温度を下回る温度になるまで、上記冷却ファンで、上記部品を常時冷却することができる。したがって、冷却されるべき部品が、品質保証温度を超える温度まで上昇することを抑制できて、上記部品が故障するのを抑制できる。
【図面の簡単な説明】
【００１７】
【図１】本発明の一実施形態の加熱調理器を、前面側から見たときの正面図である。
【図２】上記加熱調理器の正面から見た縦断面図である。
【図３】上記加熱調理器の右側面から見た縦断面図である。
【図４】上記加熱調理器の制御ブロック図である。
【図５】同一の時間軸に対する、加熱調理器の加熱庫の庫内温度の変位および冷却ファン用モータの駆動の状態を示す図である。
【図６】オーブン予熱時および予熱保持運転時における制御部の冷却ファン用モータの上記間欠アクティブ駆動制御の一例を説明するためのフローチャートである。
【図７】オーブン予熱時および予熱保持運転時における制御部の冷却ファン用モータの上記間欠アクティブ駆動制御の一例を説明するためのフローチャートである。
【発明を実施するための形態】
【００１８】
以下、本発明を図示の形態により詳細に説明する。
【００１９】
図１は、本発明の一実施形態の加熱調理器を、前面側から見たときの正面図である。
【００２０】
この加熱調理器は、直方体形状の本体ケーシング１と、本体ケーシング１内に設けられた加熱室（図示せず）と、本体ケーシング１の前面側に回動自在に取り付けられた扉３とを備える。
【００２１】
上記扉３は、下端部を中心に回動し、上記加熱室の開口部２ａを開閉する。上記扉３の上部にはハンドル４が取り付けられている。また、上記扉３の略中央部には、耐熱ガラス５が配置されており、ユーザが、耐熱ガラス５を通して上記加熱室内の状態を視認することができるようになっている。
【００２２】
上記本体ケーシング１の上面かつ裏面側には、希釈排気口２８を有する排気ダクト３０を配置している。この排気ダクト３０の一端は、上記加熱室に設けられた図示しない排気口に接続されている。
【００２３】
上記本体ケーシング１の前面の右側には、操作パネル６を設けている。この操作パネル６は、表示基板の一例としての液晶表示部７、ダイヤル８および複数のボタン９を有している。上記ダイヤル８の下側には水タンク１０を収納している。上記水タンク１０は、本体ケーシング１に対して着脱可能となっている。
【００２４】
図１において、参照番号５０は、本体ケーシング１の下側かつ前面側に着脱可能に取り付けられた露受容器５０である。この露受容器５０で、扉３の内面および本体ケーシング１の前面を伝って落下する水滴を受けるようになっている。
【００２５】
図２は、上記加熱調理器の正面から見た縦断面図であり、図３は、上記加熱調理器の右側面から見た縦断面図である。
【００２６】
図２および図３に示すように、本体ケーシング１内に配置された加熱室２の右側に、インバータ配置室Ｓを形成している。このインバータ配置室Ｓは、裏面側が仕切板４１により仕切られている。この仕切板４１に、裏面側からインバータ配置室Ｓに冷却空気を送り込む冷却ファン５３を配置している。また、上記本体ケーシング１の裏面側に、冷却ファン５３を駆動する冷却ファン用モータ５４を取り付けている。また、インバータ配置室Ｓ内の冷却ファン５３の風下側に、本体ケーシング１に取り付けられたマグネトロン６１およびインバータ部６２を配置している。図示しない制御部が、インバータ部６２に実装されている。この制御部は、マイクロコンピュータと、信号を入出力する入出力回路とを有している。上記マイクロコンピュータおよび入出力回路は、電装部品を構成している。
【００２７】
上記インバータ部６２は、側板の一例としての取付板５６を用いて本体ケーシング１に取り付けられている。上記取付板５６は、本体ケーシング１の右側壁１aに対して所定の間隔をあけて右側壁１aに略平行に配置されている。
【００２８】
上記冷却ファン５３は、本体ケーシング１の裏面に形成された複数の吸気口５５から外気を取り入れ、取り入れた外気を冷却空気として前方に向かって吹き出すようになっている。上記冷却ファン５３からの冷却風を、マグネトロン６１およびインバータ部６２の間を通過させたり、加熱調理器内の他の経路を通過させたりすることにより、マグネトロン６１およびインバータ部６２を含む部品を冷却している。
【００２９】
尚、加熱室２の下部には、回転アンテナ５１(図５に示す)と、その回転アンテナ５１を駆動する回転アンテナ用モータ(図示せず)とが配置されている。上記マグネトロン６１で発生したマイクロ波は、導波管６０によって加熱室２の下部中央に導かれ、回転アンテナ用モータによって駆動される回転アンテナ５１によって回転されながら加熱室２内の上方に向かって放射されて、加熱室２内の被加熱物を加熱するようになっている。
【００３０】
また、詳述しないが、図２において、参照番号１４は、輻射熱で加熱を行う上ヒータであり、参照番号１９は、加熱室２に設けられた排気口である。また、参照番号２１は、図示しない蒸気発生装置からの蒸気を吹き出す蒸気吹出口である。
【００３１】
図４は、上記加熱調理器の制御ブロック図である。
【００３２】
上記加熱調理器は、蒸気調理器であり、詳述しないが、制御部２００に、過熱蒸気生成ヒータ２０、循環ファン用モータ８１、冷却ファン用モータ５４、扉開閉センサ９５、給気ダンパ用モータ４４、排気ダンパ用モータ９１、操作パネル６、庫内温度センサ２９、解凍センサ９２、給水ポンプ７０、蒸気発生装置１２およびマグネトロン６１が接続されている。上記加熱蒸気生成ヒータ２０と、その加熱蒸気生成ヒータ２０を収容するダクト部（図示しない）とで、加熱部を構成している。
【００３３】
上記制御部２００は、操作パネル６からの信号と、庫内温度センサ２９、解凍センサ９２および扉開閉センサ９５からの検出信号とに基づいて、過熱蒸気生成ヒータ２０、循環ファン用モータ８１、冷却ファン用モータ５４、希釈ファン用モータ３８、給気ダンパ用モータ４４、排気ダンパ用モータ９１、操作パネル６、給水ポンプ７０、蒸気発生装置１２およびマグネトロン６１などを制御するようになっている。図４に示すように、上記制御部２００は、冷却ファン慣性駆動制御部２１０を有している。上記冷却ファン慣性駆動制御部２１０は、経過時間の計測などを行うタイマを有するか、または、タイマと信号のやり取りを行うことができるようになっている。
【００３４】
また、上記冷却ファン慣性駆動制御部２１０は、以下のように冷却ファン用モータ５４を、制御するようになっている。
【００３５】
図５は、同一の時間軸に対する、加熱調理器の加熱庫の庫内温度の変位および冷却ファン用モータ５４の動作の状態を示す図である。
【００３６】
図５に示すように、上記冷却ファン慣性駆動制御部２１０は、加熱調理器の始動時において、過熱蒸気生成ヒータ２０が通電されて、オーブン予熱が開始された信号を受けると、冷却ファン用モータ５４の通電をオンにして、冷却ファン５３をアクティブに駆動するようになっている。
【００３７】
その後、上記制御部２００の過熱蒸気生成ヒータ制御部（図示しない）が、庫内温度が所定の温度（例えば、２００℃であり、加熱調理器の仕様や種類等によって、異なる温度）になるまで、過熱蒸気生成ヒータ２０を連続的にアクティブに駆動する。そして、その後、上記過熱蒸気生成ヒータ制御部が、保持運転をすべく、庫内温度センサ２９からの信号に基づいて、庫内温度が、上記所定の温度を保持すべく、過熱蒸気生成ヒータ２０を制御する。
【００３８】
一方、上記冷却ファン慣性駆動制御部２１０は、次の制御を行うようになっている。すなわち、上記制御部２００は、上記タイマの経過時間の計測に基づいて、冷却ファン５４が最初にアクティブに駆動されてから２０秒後に、冷却ファン用モータ５４の通電をオフにして、このオフの状態を、タイマの経過時間の計測に基づいて、５秒間継続するようにしている。このようにして、回転している冷却ファン５３を慣性（惰性）で回転させるようになっている。この冷却ファン用モータ５４の通電をオフにして、冷却ファン５３を５秒間慣性（惰性）で回転させる駆動は、慣性駆動を構成している。
【００３９】
尚、この実施形態の加熱調理器では、冷却ファン用モータ５４の２０秒の通電によって駆動された冷却ファン５３は、略５秒間（正確には、５秒間よりも若干長い時間）慣性によって回転できるようになっている。
【００４０】
その後、上記冷却ファン慣性駆動制御部２１０は、冷却ファン用モータ５４の通電をオンにして、このオンの状態を、タイマの経過時間の計測に基づいて、２０秒間継続するようになっている。このようにして、慣性で回転すると共に、止まる寸前の状態になっている冷却ファン（止まっていない）５３を、再度２０秒間アクティブに駆動するようになっている。この５秒間の慣性駆動の後の２０秒間の駆動は、アクティブ駆動を構成している。
【００４１】
その後、図５に示すように、オーブン予熱時と、予熱保持運転時との期間中に、慣性駆動と、アクティブ駆動とを交互に繰り返して、それらの期間中に冷却ファン５３が止まらないようにすると共に、各慣性駆動時において、冷却ファン用モータ５４の消費電力が存在しないようにしている。このようにして、オーブン予熱時および予熱保持運転時に冷却ファン５３を常時、弱運転するようになっている。
【００４２】
図６および図７は、オーブン予熱時および予熱保持運転時における制御部２００の冷却ファン用モータ５４の上記間欠アクティブ駆動制御の一例を説明するためのフローチャートである。
【００４３】
先ず、オーブン予熱が開始されると同時に、上記制御がスタートして、図６のステップＳ１で、冷却ファン慣性駆動制御部２１０が、冷却ファン（図６では、単にファンとして表現）５３を始動させるための冷却ファン用モータ（図６では、単にモータとして表現）５４を通電して、モータを駆動する。
【００４４】
次に、ステップＳ２で、通電時間が第２時間（この時間は、この実施形態では、具体的には２０秒である）になったか否かを判定する。このステップＳ２で、通電時間が第２時間に到達していないと判定すると、再度、ステップＳ２を行う。一方、ステップＳ２で、通電時間が第２時間に到達したと判断すると、次のステップＳ３に進む。
【００４５】
次に、ステップＳ３で、冷却ファン慣性駆動制御部２１０が、冷却ファン用モータ５４への通電を停止する。これにより、冷却ファン５３が慣性により回転することになる。
【００４６】
次に、図６のステップＳ４で、通電を停止している時間が、第１時間（この時間は、この実施形態では、具体的には５秒である）になったか否かを判定する。このステップＳ４で、通電の停止時間が、第１時間に到達していないと判定すると、再度、ステップＳ４を行う。一方、ステップＳ４で、通電の停止時間が、第１時間に到達したと判断すると、次のステップＳ５に進む。
【００４７】
次に、ステップＳ５で、制御部２００が、慣性で回転している冷却ファン５３をアクティブに駆動するために、冷却ファン用モータ５４を再度通電する。これにより、冷却ファン用モータ５４によって冷却ファン５３が、アクティブに駆動される。
【００４８】
次に、図７のステップＳ６で、再通電時間が、上記第１時間になったか否かを判定する。このステップＳ６で、再通電時間が、第１時間に到達していないと判定すると、再度、ステップＳ６を行う。一方、ステップＳ６で、通電時間が、第１時間に到達したと判断すると、次のステップＳ７に進む。
【００４９】
次に、ステップＳ７で、冷却ファン慣性駆動制御部２１０から冷却ファン用モータ５４へ冷却ファン５３の間欠アクティブ駆動の停止を表す信号が発信されたか否かを判定する。このステップＳ７で、上記信号の発信がなかったと判断すると、図６に示すステップＳ３に戻る。一方、このステップＳ７で、上記信号の発信があったと判断すると、冷却ファン５３の間欠アクティブ駆動の制御を終了して、他の制御を行う。
【００５０】
尚、オーブン予熱時および予熱保持運転時における冷却ファン慣性駆動制御部２１０の冷却ファン用モータ５４の上記間欠アクティブ駆動制御を行うフローチャートとして、他のものが考えられることは勿論である。
【００５１】
上記実施形態の加熱調理器によれば、上記慣性駆動の最中において、冷却ファン５３を駆動する冷却ファン用モータ５４に電力が供給されることがない。したがって、上記慣性駆動の最中において冷却ファン用モータ５４で消費される電力を削減できて、運転コストを低減できる。
【００５２】
また、上記実施形態の加熱調理器によれば、上記慣性駆動の最中に、冷却ファン５３を駆動する冷却ファン用モータ５４に電力が供給されることがない。したがって、上記慣性駆動の最中に冷却ファン用モータ５４で消費される電力を削減できて、運転コストを低減できる。
【００５３】
また、上記実施形態の加熱調理器によれば、上記慣性駆動が行われている最中においても、冷却ファン５３が慣性で回転する。また、上記アクティブ駆動によって、慣性で回転している冷却ファン５３が止まる直前に冷却ファン用モータ５４へ電力が供給される。したがって、冷却ファン５３が始動してから、加熱調理器の調理が終了して、冷却ファン５３で冷却される制御部２００の電装部品を含む各部品（例えば、マイクロコンピュータや、ヒューズ等の電子部品等）の温度が、品質保証温度を下回る温度になるまで、上記冷却ファン５３で、上記部品を常時冷却することができる。したがって、上記部品を冷却するための冷却ファン５３が停止している期間がある加熱調理器と比較して、冷却されるべき部品が、品質保証温度を超える温度まで上昇することを抑制できて、上記部品が故障するのを抑制できる。
【００５４】
また、上記実施形態の加熱調理器によれば、上記冷却ファン５３が止まる直前になったか否かを、上記慣性駆動が予め定められた時間続けられた否かで判断するから、時間の測定を行うだけで、アクティブ駆動の始動時を判断できる。したがって、制御部での制御を単純なものにすることができて、制御部の構成を簡素にできて、加熱調理器の製造コストを低減できる。
【００５５】
また、上記実施形態の加熱調理器によれば、冷却ファン用モータ５４をアクティブ駆動する一定条件が、上記アクティブ駆動が予め定められた時間続けられたか否かであるから、時間の測定を行うだけで、慣性駆動の始動時を判断できる。したがって、上記制御部２００での制御を単純なものにすることができて、制御部２００の構成を簡素にできて、加熱調理器の製造コストを低減できる。
【００５６】
尚、上記実施形態の加熱調理器では、慣性駆動を行う時間が５秒であると共に、アクティブ駆動を行う時間が２０秒であった。しかしながら、この発明では、慣性駆動を行う時間は、加熱調理器の仕様、構造等に基づいて、適宜、適切に決められることができて、慣性駆動を行う時間が、５秒以外の時間であっても良いことは、言うまでもない。すなわち、複数存在する慣性駆動において、慣性駆動の時間が全て同じ時間であれば、その時間は、冷却ファンが停止しないという条件を満足しさえすれば、如何なる時間であっても良い。また、同様に、アクティブ駆動を行う時間は、加熱調理器の仕様、構造等に基づいて、適宜、適切に決められることができて、アクティブ駆動を行う時間が、２０秒以外の時間であっても良いことも、言うまでもない。すなわち、複数存在するクティブ駆動において、クティブ駆動の時間が全て同じ時間であれば、その時間は、如何なる時間であっても良い。
【００５７】
また、上記実施形態の加熱調理器では、アクティブ駆動の開始を、経験則や試験に基づいて、単に、慣性駆動の時間を計測することによって、判断したが、この発明では、センサを用いて、冷却ファンの回転速度を検出して、慣性で運転している冷却ファンの回転速度が所定の回転速度以下になった場合に、アクティブ駆動を開始するようにしても良い。
【００５８】
また、上記実施形態の加熱調理器では、慣性駆動の開始を、単に、アクティブ駆動の時間を計測することによって、判断したが、この発明では、センサを用いて、冷却ファンの回転速度を検出して、アクティブ駆動されている冷却ファンの回転速度が所定の回転速度以上になった場合に、慣性駆動を開始するようにしても良い。
【００５９】
尚、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。また、この発明の加熱調理器としては、電子レンジ等、水蒸気を使用しない調理器がある。
【００６０】
また、この発明の一実施形態の加熱調理器では、オーブンレンジなどにおいて、過熱水蒸気または飽和水蒸気を用いることによって、ヘルシーな調理を行うことができる。例えば、本発明の一実施形態の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して無酸素状態となることにより、食品の酸化を抑制した調理が可能となる。尚、この発明は、上記実施の形態に限定されるものではなく、この発明の範囲内で種々変更して実施することができることは、言うまでもない。
【符号の説明】
【００６１】
５３  冷却ファン
５４  冷却ファン用モータ
２０  加熱蒸気生成ヒータ
２００  制御部
２１０  冷却ファン慣性駆動制御部
【図１】
2012112574.tif 000003
【図２】
2012112574.tif 000004
【図３】
2012112574.tif 000005
【図４】
2012112574.tif 000006
【図５】
2012112574.tif 000007
【図６】
2012112574.tif 000008
【図７】
2012112574.tif 000009